(57)【特許請求の範囲】
【請求項１】
天井面に開設される天井開口に固定される方形状の外枠と、上記外枠の対向する二辺の端部側との間に介設される回動機構を介して外枠に対して回動可能に軸支され、内部に蓋材が設けられる方形状の内枠とを具備する天井点検口であって、
上記外枠は、垂直片と、上記垂直片の上端から内方に向かって延設されると共に先端が肉厚に形成されるフランジ部と、上記フランジ部の先端に形成される下向き傾斜面と、を設け、
上記内枠は、垂直片と、上記垂直片の上端から外方に向かって延設される肉厚なフランジ部と、上記フランジ部の先端に形成される上向き傾斜面と、を設け、
上記内枠が閉鎖された状態で、上記外枠の下向き傾斜面と上記内枠の上向き傾斜面が対面すると共に、上記下向き傾斜面と上記上向き傾斜面との間に気密材を介在してなる、ことを特徴とする天井点検口。
【請求項２】
天井面に開設される天井開口に固定される方形状の外枠と、上記外枠の対向する二辺の端部側との間に介設される回動機構を介して外枠に対して回動可能に軸支され、内部に蓋材が設けられる方形状の内枠とを具備する天井点検口であって、
上記外枠は、垂直片と、上記垂直片の上端から内方に向かって延設されるフランジ部と、上記フランジ部の先端に形成される下向き傾斜面と、を設け、
上記内枠は、垂直片と、上記垂直片の上端から外方に向かって延設されるフランジ部と、上記フランジ部の先端に形成される上向き傾斜面と、を設け、
上記内枠が閉鎖された状態で、上記外枠の下向き傾斜面と上記内枠の上向き傾斜面が対面すると共に、上記下向き傾斜面と上記上向き傾斜面との間に気密材を介在してなり、
上記外枠の天井開口への固定は、上記外枠のフランジ部の上面側を天井開口の天井側に配置される天井下地桁材の下面に当接し、上記外枠のフランジ部の下面側から固定部材により固定してなる、ことを特徴とする天井点検口。
【請求項３】
請求項１又は２に記載の天井点検口において、
上記内枠が閉鎖された状態において上記内枠の開放を規制する一対のロック機構を更に設け、上記ロック機構は、上記外枠を構成する外枠材における回動自由端側同士を接合するアングル状の接合材の下部から内方に向かって延設される係止受け部と、上記内枠の垂直片に沿って摺動可能に装着されるスライド部と、を具備してなり、
上記スライド部は、上記内枠の垂直片より側方に出没自在な係止片と、上記内枠の下方に突出する操作片と、を有し、
上記内枠は上記垂直片の下端に下部フランジ部を有し、
上記内枠が閉鎖された状態において、上記係止受け部が上記下部フランジ部の上面に達しており、更に上記スライド部を上記内枠の側方方向に摺動して上記係止片を上記内枠の側方に突出し、該係止片を上記係止受け部の上面に載置することにより上記内枠の開放を規制してなる、ことを特徴とする天井点検口。
【発明の詳細な説明】
【技術分野】
【０００１】
この発明は、住宅などの天井に設けられる天井点検口に関するものである。
【背景技術】
【０００２】
近年、シックハウス症候群の防止等を目的として、住宅の天井裏に設けた換気ユニット及びダクトによって強制的に換気を行うセントラル換気システムを備えた家屋が増加している。
【０００３】
換気ユニットは、ファン、モータ、エアフィルタ等から構成されており、エアフィルタの交換、点検等のメンテナンスを換気ユニットの下面側から行えるように、換気ユニットの下方に天井点検口を設けることが多い。この場合、換気ユニットと天井面の間はあまり間隔が開いていないため、気密性を確保すると共になるべく高さを抑えた天井点検口が求められている。
【０００４】
これらの問題を解決するために、従来では、天井点検口を構成する外枠と内枠の間に気密材を介在させて、気密性能を持たせる構造が知られている（例えば、特許文献１参照）。
【０００５】
この天井点検口は、外枠の立ち上がり壁の上端近傍から内側にほぼ水平に張り出して設けられた板部の先端部下面に気密材が装着されており、内枠の立ち上がり壁の上端近傍から外側にほぼ水平に張り出して設けられた片部が形成され、天井点検口が閉じた状態において、内枠に形成された片部の上面を、外枠に装着された気密材に下方から圧接して気密性能を持たせている。
【先行技術文献】
【特許文献】
【０００６】
【特許文献１】特開２００１−３４９０４７号公報
【発明の概要】
【発明が解決しようとする課題】
【０００７】
しかしながら、特許文献１に記載の技術においては、天井点検口が閉じた状態では、外枠の先端部と内枠の片部と、その間に介在される気密材は、縦に重ねて配置される構造であって、枠材の高さ（外枠，内枠の立ち上がり壁の長さ）を低くすることが難しいため、鉛直方向のスペースが狭いと天井面に取り付けることができない懸念がある。また、天井点検口を開閉する際、上記構造では外枠に装着された気密材と、内枠に形成された片部の上面とを摺り合わせるようにして圧接するため摩耗が生じ、気密材の劣化や破損が生じ易く気密性が低下する懸念がある。
【０００８】
この発明は、上記事情に鑑みてなされたもので、鉛直方向のスペースが狭い場合であっても天井面に取り付けることができる共に、簡易な構造でありながら確実な気密性を有し、かつ、耐久性の向上を図ることができる天井点検口を提供することを目的とする。
【課題を解決するための手段】
【０００９】
上記課題を解決するため、請求項１記載の発明は、天井面に開設される天井開口に固定される方形状の外枠と、上記外枠の対向する二辺の端部側との間に介設される回動機構を介して外枠に対して回動可能に軸支され、内部に蓋材が設けられる方形状の内枠とを具備する天井点検口であって、  上記外枠は、垂直片と、上記垂直片の上端から内方に向かって延設されると共に先端が肉厚に形成されるフランジ部と、上記フランジ部の先端に形成される下向き傾斜面と、を設け、  上記内枠は、垂直片と、上記垂直片の上端から外方に向かって延設される肉厚なフランジ部と、上記フランジ部の先端に形成される上向き傾斜面と、を設け、  上記内枠が閉鎖された状態で、上記外枠の下向き傾斜面と上記内枠の上向き傾斜面が対面すると共に、上記下向き傾斜面と上記上向き傾斜面との間に気密材を介在してなる、ことを特徴とする。
また、請求項２記載の発明は、天井面に開設される天井開口に固定される方形状の外枠と、上記外枠の対向する二辺の端部側との間に介設される回動機構を介して外枠に対して回動可能に軸支され、内部に蓋材が設けられる方形状の内枠とを具備する天井点検口であって、  上記外枠は、垂直片と、上記垂直片の上端から内方に向かって延設されるフランジ部と、上記フランジ部の先端に形成される下向き傾斜面と、を設け、  上記内枠は、垂直片と、上記垂直片の上端から外方に向かって延設されるフランジ部と、上記フランジ部の先端に形成される上向き傾斜面と、を設け、  上記内枠が閉鎖された状態で、上記外枠の下向き傾斜面と上記内枠の上向き傾斜面が対面すると共に、上記下向き傾斜面と上記上向き傾斜面との間に気密材を介在してなり、  上記外枠の天井開口への固定は、上記外枠のフランジ部の上面側を天井開口の天井側に配置される天井下地桁材の下面に当接し、上記外枠のフランジ部の下面側から固定部材により固定してなる、ことを特徴とする。
【００１０】
このように構成することにより、内枠が閉鎖された状態で、外枠の下向き傾斜面と内枠の上向き傾斜面が対面し、その間に気密材を斜めに配置して介在するため、枠材の高さを低く設計することができる。また、内枠を開閉する際、外枠の下向き傾斜面もしくは内枠の上向き傾斜面に装着された気密材は、徐々に押し潰されるようにして圧接されるため、摩耗による気密材の劣化や破損が生じ難い。
また、請求項２記載の発明によれば、隣り合う天井下地桁材の幅の開口部を確保することができると共に、外枠の垂直片に固定部材を打ち込むための部位を設けなくてよいため、枠材の高さを更に低く設計することができる。
【００１１】
また、この発明において、上記内枠が閉鎖された状態において上記内枠の開放を規制する一対のロック機構を更に設け、上記ロック機構は、上記外枠を構成する外枠材における回動自由端側同士を接合するアングル状の接合材の下部から内方に向かって延設される係止受け部と、上記内枠の垂直片に沿って摺動可能に装着されるスライド部と、を具備してなり、上記スライド部は、上記内枠の垂直片より側方に出没自在な係止片と、上記内枠の下方に突出する操作片と、を有し、上記内枠は上記垂直片の下端に下部フランジ部を有し、上記内枠が閉鎖された状態において、上記係止受け部が上記下部フランジ部の上面に達しており、更に上記スライド部を上記内枠の側方方向に摺動して上記係止片を上記内枠の側方に突出し、該係止片を上記係止受け部の上面に載置することにより上記内枠の開放を規制してなる、方がよい（請求項３）。
【００１２】
このように構成することにより、内枠が閉鎖された状態において、内枠の開放を確実に規制することができる。また、外枠の下向き傾斜面及び内枠の上向き傾斜面と、気密材の圧接を強固なものにすることができる。更に、ロック機構が枠の上部から突出しないように枠内のスペースに収めることができる。
【発明の効果】
【００１５】
この発明によれば、上記のように構成されているので、この発明に係る天井点検口は、鉛直方向のスペースが狭い場合であっても天井面に取り付けることができる共に、簡易な構造でありながら十分な気密性を有し、かつ、耐久性の向上を図ることができる。
【図面の簡単な説明】
【００１６】
【図１】この発明に係る天井点検口の開放状態を示す斜視図である。
【図２】この発明に係る天井点検口の断面図である。
【図３】図２のＩ部拡大断面図である。
【図４】この発明に係る天井点検口の閉鎖状態を示す要部断面図である。
【図５】この発明に係る天井点検口の開放状態を示す要部断面図である。
【図６】この発明におけるロック機構を示す斜視図（ａ）、要部断面図（ｂ）である。
【図７】この発明における回動機構を示す斜視図である。
【図８】この発明における回動機構を示す断面図である。
【発明を実施するための形態】
【００１７】
以下に、この発明に係る天井点検口の実施形態を添付図面に基づいて詳細に説明する。
【００１８】
天井点検口は、図１ないし図４に示すように、天井面２に開設される方形状の天井開口３に固定される方形状の外枠１０と、外枠１０の対向する二辺の端部側との間に介設される回動機構３０を介して外枠１０に対して回動可能に軸支され、内部に蓋材８が設けられる方形状の内枠２０と、内枠２０の開放を規制するための一対のロック機構４０と、で主に構成されている。
【００１９】
天井面２は、例えば厚さ１２．５ｍｍの石膏ボードからなる天井板４を、等間隔に平行に配置された例えば材木製の天井下地桁材５に固定して形成されている。図２に示すように、底面にメンテナンス用の孔部が形成された断面ハット状の換気ユニットホルダ６ａは、平行に配置された２本の天井下地桁材５に両端部が支持されており、その換気ユニットホルダ６ａには、ダクト７が接続された換気ユニット６が載置されている。天井開口３は、その換気ユニット６に装着されたフィルタ６ｂの下方に方形状に開口される。
【００２０】
外枠１０は、アルミニウム製押出形材にて形成される４つの外枠材１０ａと、外枠材１０ａの端部同士を接合するアングル状の接合材１７，１８とで構成されている。この場合、外枠材１０ａの両端部は４５度にカットしてあり、隣接する外枠材１０ａ同士により形成される角部にアングル状の接合材１７，１８を内側面側から当接し、リベット１９によって接合することで、外枠１０が方形状に形成されている。
【００２１】
外枠材１０ａは、図３ないし図７に示すように、天井板４の厚さより若干高い寸法の垂直片１１と、この垂直片１１の上端から内方に向かって延設され、先端が肉厚に形成された上部フランジ部１２と、この垂直片１１の下端と中間部で接合される下部フランジ部１３と、で形成されている。
【００２２】
上部フランジ部１２には、図３ないし図５に示すように、その肉厚に形成された先端部には下向き傾斜面１４が形成されている。下向き傾斜面１４は、先端部の下側角部を落とすように例えば４５度に傾斜して面を形成している。なお、下向き傾斜面１４には、気密材である帯状のパッキン部材５０が、全周に渡って装着されている。
【００２３】
側方に配置される外枠材１０ａには、図３に示すように、その上部フランジ部１２に後述する固定部材である固定ねじ５１を挿入するための取付孔１５が複数例えば３箇所に等間隔で形成されると共に、基端部側の垂直片１１には後述する軸棒３２ｂを挿入するための貫通孔１６が形成されている（図７，図８参照）。
【００２４】
また、外枠１０を構成する外枠材１０ａにおける回動自由端側同士を接合する接合材１７は、図６に示すように、角部の垂直片１１の内周面側に当接されるアングル状の基部１７ａと、基部１７ａの下部から内方に向かって延設される係止受け部１７ｂと、から形成されている。また、外枠１０の基端側同士を接合する接合材１８は、図７，図８に示すように、後述する軸棒３２ｂが貫通するための貫通孔１８ａが設けてある。
【００２５】
上記のように形成される外枠１０は、上部フランジ部１２の上面側を天井開口３の天井側に配置される天井下地桁材５の下面に当接し、上部フランジ部１２に形成された取付孔１５に、下面側から挿入される固定ねじ５１によりねじ止めして固定する。図３ないし図５に示すように、外枠１０の外方に向かって延設される下部フランジ部１３の上面には、帯状のパッキン部材５０が全周に渡って装着されており、天井板４との間に気密材であるパッキン部材５０を介在させて、気密性能が維持されている。
【００２６】
一方、内枠２０は、アルミニウム製押出形材にて形成される４つの内枠材２０ａと、内枠材２０ａの端部同士を接合するアングル状の接合材２６とで構成されている。この場合、内枠材２０ａの両端部は４５度にカットしてあり、隣接する内枠材２０ａ同士により形成される角部にアングル状の接合材２６を内側面側から当接し、リベット１９及び固定ねじ２７によって接合することで、内枠２０が方形状に形成されている。
【００２７】
内枠材２０ａは、図３ないし図７に示すように、垂直片２１と、この垂直片２１の上端から外方に向かって延設される肉厚な上部フランジ部２２と、その反対側すなわち内方に向かって水平に延設されると共に、その端部から下方に向かって垂直に屈曲される屈曲部２３と、垂直片２１の下端と中間部で接合される下部フランジ部２４と、で形成されている。
【００２８】
図２ないし図５に示すように、その肉厚に形成された上部フランジ部２２には上向き傾斜面２５が形成されている。上向き傾斜面２５は、上部フランジ部２２の上側角部を落とすように例えば４５度に傾斜して面を形成してある。
【００２９】
内枠２０には、天井開口３を開設した際に切り取られた石膏ボードを適宜寸法調整して形成される蓋材８が内部に固定される。蓋材８の固定は、内枠２０の内方に向かって延設される下部フランジ部２４の上に蓋材８を載置した状態で、蓋材８の端部上面に当接するアングル状の押え材２８を、内枠材２０ａの上部フランジ部２２の内方側の屈曲部２３に形成された切欠部（図示せず）に嵌合すると共に垂直片２１にねじ止めして固定する（図４，図５参照）。この場合、押え材２８は基端側及び回動自由端側に配置される内枠材２０ａの両側に２箇所設けられている。なお、内枠２０の下部フランジ部２４と蓋材８の重なり合う部分には気密材であるパッキン部材５０が介在されて、気密性能が維持されている。
【００３０】
回動機構３０は、図７及び図８に示すように、側方に配置される外枠材１０ａの垂直片１１に設けられた貫通孔１６と、接合材１８に設けられた貫通孔１６と連通する貫通孔１８ａとから形成され、軸棒３２ｂを回動自在に軸支する軸受け３１と、基端側に配置される内枠材２０ａの垂直片２１の両端部の外側面側に固定ねじ２７によって当接接合される矩形板状の取付板３２ａと、取付板３２ａの下端付近に一端部を接合する軸棒３２ｂとから形成される軸部３２と、で主に構成されている。
【００３１】
ロック機構４０は、回動自由端側の角部に左右一対に設けられており、図６に示すように、外枠１０を構成する外枠材１０ａにおける回動自由端側同士を接合するアングル状の接合材１７の下部から内方に向かって延設される係止受け部１７ｂと、内枠２０の垂直片２１より側方に出没自在な係止片４１ｅと、係止片４１ｅと一体に形成され、内枠２０の下方に突出する操作片４１ｃとを有すると共に、内枠２０の垂直片２１に沿って摺動可能に装着されるスライド部４１と、スライド部４１を内枠２０に摺動可能に装着するクリップ板４２及び固定ねじ２７と、スライド部４１を係止受け部１７ｂ側に付勢する係止補助ばね部材４３と、で主に構成されている。
【００３２】
上述したように、外枠１０の回動自由端側を接合する接合材１７は、角部の垂直片１１の内周面側に当接されるアングル状の基部１７ａと、基部１７ａの下部から内方に向かって延設される係止受け部１７ｂと、から形成されており、接合材１７の係止受け部１７ｂが設けられた片を、外枠１０の側方に配置される外枠材１０ａ側にしてリベット１９により接合する（図６参照）。このように接合される接合材１７は、外枠１０の回動自由端側の両角部に左右一対に接合されている。
【００３３】
一方、スライド部４１は、図６に示すように、内枠２０の下部フランジ部２４の上面に載置可能に形成される矩形状の基板４１ａと、基板４１ａの内側の辺から上方に直交状に屈曲され、内枠２０の垂直片２１の外面に摺動可能に当接する取付片４１ｂと、基板４１ａの外側の辺から下方に直交状に屈曲される垂下片と、垂下片の下端から外方に直交状に屈曲される水平片とを有する操作片４１ｃと、基板４１ａの外側辺から上方にクランク状に屈曲する係止片４１ｅと、で一体に形成されている。この場合、取付片４１ｂには、２つの横長の長孔４１ｆが並設されている。また、係止片４１ｅは先端付近を上方に傾斜して形成されており、スライド時に係止片４１ｅの先端が係止受け部１７ｂに引っ掛かるのを防止している。
【００３４】
クリップ板４２は、２つの取付ねじ孔４２ｂを有する板状基部４２ａから形成されている。固定ねじ２７は、内枠材２０ａの端部同士を接合する接合材２６に設けられた貫通孔と、内枠材２０ａの垂直片２１に設けられた貫通孔と、スライド部４１の長孔４１ｆを貫通してクリップ板４２の取付ねじ孔４２ｂに、ねじ結合されている。その際、固定ねじ２７は、内枠材２０ａの垂直片２１とクリップ板４２の板状基部４２ａの間にスライド部４１が摺動可能な隙間を形成してクリップ板４２に結合される。このように構成することにより、スライド部４１は、長孔４１ｆの範囲内で内枠２０の垂直片２１に沿って摺動することができる。
【００３５】
係止補助ばね部材４３は、図６（ｂ）に示すように、内枠材２０ａの垂直片２１に設けられたばね係止突起４３ａと、スライド部４１の取付片４１ｂに設けられたばね係止突起４３ｂに懸架される引っ張りばねにて形成されており、スライド部４１を係止受け部１７側に付勢する付勢力により係止片４１ｅを係止受け部１７ｂの上面に載置して係止させている。
【００３６】
上記のように構成される天井点検口を天井面２に設置するには、まず、天井面２を形成する天井板４に矩形状の天井開口３を開設する。なお、予め工場において、それぞれ二種類のアルミニウム製押出形材にて形成される外枠材１０ａと内枠材２０ａをそれぞれ枠組みして外枠１０及び内枠２０を形成する。矩形状に枠組みされる外枠材１０ａの回動自由端側の両角部の内周面に接合される接合材１７は、接合材１７の係止受け部１７ｂが設けられた片を、側方に配置される外枠材１０ａ側にしてリベット１９により接合する。外枠１０の上部フランジ部１２に形成される下向き傾斜面１４及び下部フランジ部１３の上面には、帯状のパッキン部材５０が全周に渡って装着される。一方、内枠２０の回動自由端側の両角部には、内周面側に接合材２６を当接すると共に、回動自由端側に配置される内枠材２０ａの外周面側にスライド部４１とクリップ板４２を当接した状態で、内側から固定ねじ２７及びリベット１９により一体接合する。スライド部４１の内枠２０への装着後、内枠材２０ａの垂直片２１に設けられたばね係止突起４３ａと、スライド部４１の取付片４１ｂに設けられたばね係止突起４３ｂに、係止補助ばね部材４３を懸架する（図６参照）。
【００３７】
外枠１０と内枠２０の連結は、側方に配置される外枠材１０ａの垂直片１１と接合材１８により形成される軸受け３１に軸部３２の軸棒３２ｂを挿入し、軸棒３２ｂに予め溶接してある取付板３２ａを、基端側に配置される内枠材２０ａの垂直片２１の外周面側に当接すると共に、内周面側に接合材２６を当接した状態で、内枠２０の内側から固定ねじ２７により一体接合する（図８参照）。このように構成することにより、内枠２０は、外枠１０の対向する二辺の端部側との間に介設される回動機構３０を介して外枠１０に対して回動可能に軸支される。外枠１０と内枠２０の連結後、内枠２０に、天井開口３を開設した際に切り取られた石膏ボードを適宜寸法調整して形成される蓋材８を上述した固定手段により内部に固定する。
【００３８】
天井開口３への天井点検口の取り付けは、内枠２０を開放した状態で、外枠１０の上部フランジ部１２の上面側を天井開口３の天井側に配置される天井下地桁材５の露出した下面に当接し、上部フランジ部１２に形成された取付孔１５に、下面側から固定ねじ５１によりねじ止めして固定する。最後に、内枠２０の回動自由端側端部を持ち上げると共に、内枠１０の下方に突出するスライド部４１の操作片４１ｃを操作して、係止補助ばね部材４３の付勢力に抗してスライド部４１を側方から内方方向に摺動させて、係止片４１ｅと係止受け部１７ｂが干渉しないようにしながら内枠２０を閉鎖する。この際、外枠１０の下向き傾斜面１４に装着されたパッキン部材５０は、内枠２０の上向き傾斜面２５によって、徐々に押し潰されるようにして圧接されるため、摩耗によるパッキン部材５０の劣化や破損が生じ難い。
【００３９】
上記のように設置される天井点検口の内枠２０を開放するには、回動自由端側の角部に左右一対に設けられロック機構４０のロックを解除しなければならない。図６（ｂ）に示すように、内枠２０が閉鎖された状態では、スライド部４１は係止補助ばね部材４３により側方に付勢され、スライド部４１の係止片４１ｅは内枠２０の側方に突出し、外枠１０に延設される係止受け部１７ｂの上面に載置されているため、内枠２０の開放が規制されている。作業者は、内枠２０の下方に突出するスライド部４１の操作片４１ｃを操作して、係止補助ばね部材４３の付勢力に抗してスライド部４１を側方から内方方向に摺動させて、係止片４１ｅと係止受け部１７ｂの係止を解き、内枠２０の回動自由端側端部を下方に開放することができる。
【００４０】
上記のように構成される天井点検口によれば、内枠２０が閉鎖された状態で、外枠１０の下向き傾斜面１４と内枠２０の上向き傾斜面２５が対面し、その間にパッキン部材５０を斜めに配置して介在し、枠材１０，２０の高さを低く設計することができるため、鉛直方向のスペースが狭い場合であっても天井面２に取り付けることができる。また、内枠２０を開閉する際、外枠１０の下向き傾斜面１４に装着されたパッキン部材５０は、内枠２０の上向き傾斜面２５によって、徐々に押し潰されるようにして圧接され、摩耗によるパッキン部材５０の劣化や破損が生じ難いため、耐久性の向上を図ることができる。
【００４１】
また、内枠２０が閉鎖された状態において内枠２０の開放を規制する一対のロック機構４０を設けることにより、内枠２０が閉鎖された状態において、内枠２０の開放を確実に規制することができるため、安全性を向上させることができる。また、外枠１０の下向き傾斜面１４に装着されたパッキン部材５０と、内枠２０の上向き傾斜面２５の圧接を強固なものにすることができるため、気密性を向上させることができる。更に、ロック機構４０が枠１０，２０の上部から突出しないように枠１０，２０内のスペースに収めることができるため、鉛直方向のスペースが狭い場合であっても天井面２に取り付けることができる。
【００４２】
また、外枠１０の天井開口３への固定は、外枠１０の上部フランジ部１２の上面側を天井開口３の天井側に配置される天井下地桁材５の下面に当接し、外枠１０の上部フランジ部１２の下面側から固定ねじ５１により固定することにより、隣り合う天井下地桁材５の幅より大きい幅の開口部を確保することができるため、作業性を向上させることができる。また、外枠１０の垂直片１１に固定ねじ５１を打ち込むための部位を設けなくてよいため、枠材１０，２０の高さを更に低く設計することができ、鉛直方向のスペースが狭い場合であっても天井面２に取り付けることができる。
【符号の説明】
【００４３】
２      天井面
３      天井開口
５      天井下地桁材
８      蓋材
１０    外枠
１０ａ  外枠材
１１    垂直片
１２    上部フランジ部（フランジ部）
１４    下向き傾斜面
１７    接合材
１７ｂ  係止受け部
２０    内枠
２１    垂直片
２２    上部フランジ部（フランジ部）
２５    上向き傾斜面
３０    回動機構
４０    ロック機構
４１    スライド部
４１ｃ    操作片
４１ｅ  係止片
５０    パッキン部材（気密材）
５１    固定ねじ（固定部材）
【図１】
0005660610.tif 000002
【図２】
0005660610.tif 000003
【図３】
0005660610.tif 000004
【図４】
0005660610.tif 000005
【図５】
0005660610.tif 000006
【図６】
0005660610.tif 000007
【図７】
0005660610.tif 000008
【図８】
0005660610.tif 000009